(57)【要約】【課題】取付け孔ピッチが異なる便器にも簡単に中心を合わせて便座を取付けることができ、取付け後にずれが生じないトイレ装置を提供することを目的とする。【解決手段】便座８の便器９への取付け位置調整用の調整具６は、便器９に便座８を固定する固定部材７を通す前後方向の長孔５を設けた２つのガイド４と、この２つのガイド４を連動して左右方向にスライド可能とするスライド機構１２とを有するものである。これによって、固定部材７が常に便座８の中心対称の場所に位置するため、取付け孔１０ピッチが異なる便器９にも簡単に中心を合わせて便座８を取付けることができるとともに取付け後にずれが生じない。【選択図】図１
2005348987.tif 000002
【特許請求の範囲】
【請求項１】
便座取付け用の２つの取付け孔を有する便器と、この便器に取付ける便座と、この便座の便器への取付け位置調整用の調整具と、便器の２つの取付け孔および調整具を通して便器に便座を固定する固定部材とを備え、前記調整具は、前記固定部材を通す前後方向の長孔を設けた２つのガイドと、この２つのガイドを連動して左右方向にスライド可能とするスライド機構とを有するトイレ装置。
【請求項２】
取付け位置調整用の調整具は、便座と着脱可能とした請求項１に記載のトイレ装置。
【請求項３】
スライド機構は、２つのガイドにそれぞれ設けたラックと、この両ラックと噛み合って２つのガイドを連動させるギアとから構成した請求項１または２に記載のトイレ装置。
【請求項４】
スライド機構は、中央が回転自在に支持され両端部が２つのガイドとそれぞれ遊合したリンクから構成した請求項１または２に記載のトイレ装置。
【発明の詳細な説明】
【技術分野】
【０００１】
本発明は、暖房便座や衛生洗浄便座を有するトイレ装置に関するものである。
【背景技術】
【０００２】
従来、この種のトイレ装置において、便座の便器への取付けは、便座に装着した２本のボルト（取付けボルト）を便器に設けられた２つの取付け孔に挿入し、便器裏面からナットを施して便座を挟み込むかたちで取付けるものが一般的である。ここで、前記２つの取付け孔の間隔（取付け孔ピッチ）は１４０ｍｍである便器が多いため、便座の交換や、特に通常の便座から衛生洗浄便座への交換に際しても、取付け孔ピッチの違いを意識せずとも簡便に交換が可能であった。
【０００３】
一方、一部の便器や海外製の便器においては、取付け孔ピッチが１４０ｍｍ以外のものも存在するため、１４０ｍｍピッチ用の便座や衛生洗浄便座は取付けができなかった。この問題を解決するものとして、取付けボルトの間隔を調整可能とするようにしたトイレ装置があった（例えば、特許文献１参照）。
【０００４】
この従来のトイレ装置を図７に示している。これは、便座に設けたスライド板１のスライドと長孔２の作用により、取付けボルト３を左右前後方向に動かして、２本のボルトの間隔を１４０ｍｍ以外に調整することができる。よって、取付け孔ピッチが１４０ｍｍ以外の便器にも取付け可能となる。ここで、スライド板１が前後方向に移動可能となっていることにより、トイレ装置全体を前後方向に調整可能で、便器と便座の先端の位置を合わせて見映えの良い取付けができるようになっている。
【特許文献１】特開昭６１−２２９０４０号公報
【発明の開示】
【発明が解決しようとする課題】
【０００５】
しかしながら、前記従来の構成では、トイレ装置を便器に取付ける際には、便座の取付けボルトのピッチを便器の取付け孔ピッチに合わせながら取付けることになるが、ピッチを合わせても、取付けてみると便器の中心と便座の中心がずれることがある。つまり、便器と便座が左右方向にずれることがある。また、左右方向のずれを修正して中央に取付けても、トイレ装置を使用している間に振動や力が加わり、便器と便座にずれが生じるという課題も有していた。
【０００６】
本発明は、前記従来の課題を解決するもので、取付け孔ピッチが異なる便器にも簡単に中心を合わせて便座を取付けることができ、取付け後にずれが生じないトイレ装置を提供することを目的とする。
【課題を解決するための手段】
【０００７】
前記従来の課題を解決するために、本発明のトイレ装置は、便座の便器への取付け位置調整用の調整具は、便器に便座を固定する固定部材を通す前後方向の長孔を設けた２つのガイドと、この２つのガイドを連動して左右方向にスライド可能とするスライド機構とを有するものである。
【０００８】
これによって、固定部材が常に便座の中心対称の場所に位置するため、取付け孔ピッチが異なる便器にも簡単に中心を合わせて便座を取付けることができるとともに取付け後にずれが生じない。
【発明の効果】
【０００９】
本発明のトイレ装置は、取付け孔ピッチが異なる便器にも簡単に中心を合わせて便座を取付けることができるとともに取付け後にずれが生じない。
【発明を実施するための最良の形態】
【００１０】
第１の発明は、便座取付け用の２つの取付け孔を有する便器と、この便器に取付ける便座と、この便座の便器への取付け位置調整用の調整具と、便器の２つの取付け孔および調整具を通して便器に便座を固定する固定部材とを備え、前記調整具は、前記固定部材を通す前後方向の長孔を設けた２つのガイドと、この２つのガイドを連動して左右方向にスライド可能とするスライド機構とを有するトイレ装置とすることにより、固定部材が常に便座の中心対称の場所に位置するため、取付け孔ピッチが異なる便器にも簡単に中心を合わせて便座を取付けることができるとともに取付け後にずれが生じない。
【００１１】
第２の発明は、特に、第１の発明において、取付け位置調整用の調整具は、便座と着脱可能としたことにより、便座の取付け作業を簡便にすることができる。
【００１２】
第３の発明は、特に、第１または２の発明において、スライド機構は、２つのガイドにそれぞれ設けたラックと、この両ラックと噛み合って２つのガイドを連動させるギアとから構成したことにより、ギアを回転させることで簡単に固定部材ピッチの調整を行うことができる。
【００１３】
第４の発明は、特に、第１または２の発明において、スライド機構は、中央が回転自在に支持され両端部が２つのガイドとそれぞれ遊合したリンクから構成したことにより、リンクを介して簡単に固定部材ピッチの調整を行うことができる。
【００１４】
以下、本発明の実施の形態について、図面を参照しながら説明する。なお、本実施の形態によって本発明が限定されるものではない。
【００１５】
（実施の形態１）
図１〜図３は、本発明の実施の形態１におけるトイレ装置を示したものである。
【００１６】
図に示すように、本実施の形態におけるトイレ装置は、便座取付け用の２つの取付け孔１０を有する便器９と、この便器９に取付ける便座８と、この便座８の便器９への取付け位置調整用の調整具６と、便器９の２つの取付け孔１０および調整具６を通して便器９に便座８を固定するボルトなどの２本の固定部材７とを備えている。
【００１７】
そして、前記調整具６は、前記固定部材７を通す前後方向の長孔５を設けた２つのガイド４と、この２つのガイド４を連動して便座８の中心に対して左右方向に常に等寸法でスライド可能とするスライド機構１２とを有するものである。すなわち、一方のガイド４を便座８の中心から外側に向かってスライドさせると、もう片方のガイド４は反対向きに中心から外側に向かって等寸法でスライドする。逆に、一方のガイド４を中心に向かって内側にスライドさせると、もう一方のガイド４も中心に向かって等寸法でスライドする。このように、２つのガイド４は常に便座８の中心からの距離が等しくなるように連動してスライドするので、長孔５のピッチの中心は便座８の中心からずれることがない。したがって、便座８は長孔５に挿入した２本の固定部材７により便器９に固定でき、便座８は常に便器の中心からずれることがない。
【００１８】
なお、調整具６は、便器９の裏面に突出した固定部材７の先端部にナットなどの締付具１１を施すことにより、便器９に固定されるものである。また、便座８には、固定部材７を長孔５に予め通した状態の調整具６が固定されているものである。
【００１９】
以上のように構成されたトイレ装置について、以下その動作、作用を説明する。
【００２０】
まず、便座８を取付けようとする便器９の取付け孔１０のピッチに合わせて予め調整具６のガイド４をスライドすれば（図３の矢印）、２つのガイド４は常に便座８の中心に対し等寸法だけ連動するので、意識しなくとも便器９の中心と便座８の中心はずれることがない。仮に、長孔５のピッチが１４０ｍｍから２００ｍｍまで可変できるものとし、便器９の取付け孔１０のピッチが仮に１７０であれば、ガイド４の長孔５のピッチを１７０ｍｍに設定さえすれば便座８の中心から８５ｍｍに振り分けられて長孔５が位置することになる。
【００２１】
このように、便座８を便器９に取付ける作業において、便器９の取付け孔１０のピッチが多様でも、作業性よく一度で便座８を所要位置に固定することができる。また、２つのガイド４は連動しているので、便器９に取付け使用する状態では、仮に、締付具１１の固定が緩くとも便座８は便器９の中心から左右にずれることはない。したがって、便座８と便器９表面や固定部材７との間にはゴムなどの滑り止め部材や、滑り止めとなる凹凸を設けなくてもよく、汚れが付着しにくく衛生的である。
【００２２】
なお、便座８を便器９に固定するための固定部材７としてボルトを、締付具１１としてはナットを挙げたが、これ以外の組み合わせであっても可能である。例えば、棒と固定留め輪との組み合わせや、リベットのような棒の先端の塑性変形による固定方法、棒自体が便器９の取付け孔１０に対して摩擦力で固定される方法（例えば、ゴム等の材質が取付け孔１０内で膨らみ、取付け孔内壁と接触して摩擦力により固定される方法）などがある。
【００２３】
（実施の形態２）
図４は、本発明の実施の形態２におけるトイレ装置を示すものである。実施の形態１と同一要素については同一符号を付して説明を省略する。
【００２４】
本実施の形態におけるトイレ装置は、取付け位置調整用の調整具６を、便座８と着脱可能とし、便座８の便器９への取付け時においては、予め調整具６を便器９へ固定し、その後、調整具６に便座８を、例えば、スライド係合させるようにしたものである。
【００２５】
これにより、トイレ空間における便座８の取付けが簡便にでき、作業の負担を軽減できる。すなわち、調整具６は便器９の取付け孔１０に固定部材７のピッチを合わせるだけで意識せずとも便器９の中心に便座８を固定できるので、調整具６には位置の目印となる刻印などの表示が必要なく、表面は凹凸なく汚れの付着しにくい形状にすることができ衛生的でもある。
【００２６】
（実施の形態３）
図５は、本発明の実施の形態３におけるトイレ装置の要部を示したものである。実施の形態１と同一要素については同一符号を付して説明を省略する。
【００２７】
本実施の形態におけるトイレ装置は、調整具６のスライド機構１２は、２つのガイド４にそれぞれ設けたラック１３と、この両ラック１３と噛み合って２つのガイド４を連動させるギア１４とから構成したものである。
【００２８】
これにより、片方のガイド４の動きはギア１４により連動して、もう片方のガイド４が反対の向きにスライドする。よって、ギア１４を回転させることで簡単に固定部材７ピッチの調整を行うことができる。なお、ギア１４の大きさは任意にできるので、スライド機構１２を小型化、薄型化することができる。したがって、便座８本体に内蔵する多くの機能部品のサイズや配置が制約をうけることがない。
【００２９】
（実施の形態４）
図６は、本発明の実施の形態４におけるトイレ装置の要部を示したものである。実施の形態１と同一要素については同一符号を付して説明を省略する。
【００３０】
本実施の形態におけるトイレ装置は、調整具６のスライド機構１２は、中央が回転自在に支持され両端部が２つのガイド４とそれぞれ遊合したリンク１５から構成したものである。
【００３１】
これにより、片方のガイド４の動きはリンク１５により連動して、もう片方のガイド４が反対の向きにスライドする。よって、リンク１５を介して簡単に固定部材７ピッチの調整を行うことができる。また、スライド機構１２の小型化、薄型化もはかることができる。
【産業上の利用可能性】
【００３２】
以上のように、本発明にかかるトイレ装置は、取付け孔ピッチが異なる便器にも簡単に中心を合わせて便座を取付けることができるとともに取付け後にずれが生じないので、暖房便座や衛生洗浄便座などを便器に取付けたトイレ装置に適用することができる。
【図面の簡単な説明】
【００３３】
【図１】本発明の実施の形態１におけるトイレ装置の分解斜視図
【図２】同トイレ装置の便座の裏面を示す斜視図
【図３】同トイレ装置に用いた位置調整用の調整具を示す斜視図
【図４】本発明の実施の形態２におけるトイレ装置の分解斜視図
【図５】本発明の実施の形態３におけるトイレ装置の調整具を示す平面図
【図６】本発明の実施の形態４におけるトイレ装置の調整具を示す斜視図
【図７】従来の同トイレ装置における便座の裏面を示す斜視図
【符号の説明】
【００３４】
４  ガイド
５  長孔
６  調整具
７  固定部材
８  便座
９  便器
１０  取付け孔
１２  スライド機構
１３  ラック
１４  ギア
１５  リンク
【図１】
2005348987.tif 000003
【図２】
2005348987.tif 000004
【図３】
2005348987.tif 000005
【図４】
2005348987.tif 000006
【図５】
2005348987.tif 000007
【図６】
2005348987.tif 000008
【図７】
2005348987.tif 000009